(57)【特許請求の範囲】
【請求項１】
四角形状の浅型フライパンの本体を備えた玉子焼き器具において、所定の厚みを備えた本体側面の内、一辺縁外面の辺に対し３０°から７０°、底面に対し垂直方向に０°から３０°をもって把手を付設する玉子焼き器具であって、
本体の側面に角度を持った把手、スライドガイド、及び位置決めピンを付設することによって、把手を調理する人の使い易い位置に選択的にスライド固定設定出来ることを特徴とする玉子焼き器具。
【請求項２】
本体の側面に対し４０°から６５°、底面に対し垂直方向に５°から２５°の角度を持った着脱可能な固定式把手を付設した請求項１の玉子焼き器具。
【発明の詳細な説明】
【技術分野】
【０００１】
本発明は、玉子焼き調理に使用する玉子焼き用フライパンに関するものである。
【背景技術】
【０００２】
玉子焼き調理専用の器具としは、四角形状の本体の一辺縁部の外面中央に適宜な把手を付設しているものが知られている。そして前記器具での一般的な玉子調理は、加熱した本体に所定量の溶き玉子を入れ、薄焼き状態で本体を上下半回転搖動することで巻き込み、これを繰り返すことで全体を多重層状態として厚焼き卵を調製している。また薄焼きを行わないで直接一定の厚さに焼き上げる場合もある。
【０００３】
玉子焼きを多重層状態に作る際には、把手の下側から手の平を上に向けた逆手握りとなり、体の前面に腕をくの字に曲げ、手首を上下に半回転揺動運動を繰り返す必要があった。
【０００４】
前記上下半回転揺動運動を繰り返すことによる手首への負担が増し、前記器具本体を上下に旨く操るのが困難になった。
【０００５】
さらに手首の動きに不安がある人が玉子焼き調理をする際、前述の把手の持ち方だと困難さが増すケースがある。
【０００６】
一般的に使用されている玉子焼き器具形状は、四角形状フライパン本体の外縁部の一辺の中央に把手を付設したものである。
【先行技術文献】
【特許文献】
【０００７】
【特許文献１】特許公開公報「特許公開2001-252201」に記載されている形状が主流となっている。
【発明の概要】
【発明が解決しようとする課題】
【０００８】
玉子焼きを多重層状態に作る際には、把手の下側から手の平を上に向けた逆手握りとなり、体の前面で腕を曲げた手首を上下に半回転揺動運動を繰り返す必要があり、腕や手首に不安の無い人でも、手首に疲労がたまる。まして、把手を握る側の腕や手首に不安がある人は半回転上下揺動運動による手首への負担増が避けられない。
【０００９】
そこで本発明は、上下半回転揺動運動による手首の負担を軽減し、玉子焼きをスムーズに調整できる新規な器具を提案したものである。
【課題を解決するための手段】
【００１０】
本発明に関わる玉子焼き器は、四角形状の浅型フライパンの本体を備えた玉子焼き器において、所定の厚みを備えた本体辺縁部の内、一外面に、把手を角度をもって付設することを特徴とするものである。
【００１１】
「角度を持った」とは辺に対する傾きと本体底面に対する傾きである。
【００１２】
而して前記器具で調理をおこなうと、角度を持って付設された把手に手の甲を上にした順手で、しかも把手を把持する側の腕を体前面にくの字に曲げる必要も無く、体側に沿って前方に差出し、手を添えるだけで把持出来るのである。
【００１３】
而して、角度をもって付設された把手を順手で把持している為、前記器具を上下半回転搖動するのに手首だけでなく、肘関節を中心に使うことにより、手首への負担がかなり軽減され、軽量感も得られるものである。
【発明の効果】
【００１４】
以上の通り、本発明は、四角形状本体の辺縁外面に角度を持って付設された把手を、腕を体前面でくの字に曲げることなく自然な姿勢で把持出来、手首の負担軽減を実現したものである。
【図面の簡単な説明】
【００１５】
【図１】本発明の実施形態の把手スライド機構付全体斜視図である。
【図２】本発明の実施形態の図１の反対勝手の全体斜視図である。
【図３】本発明の把手固定形状の全体斜視図である。
【図４】本発明の把手固定形状図３の反対勝手の全体斜視図である。
【発明を実施するための形態】
【００１６】
次に本発明の実施の形態について説明する。実施形態に示した玉子焼き器具は、基本的には従前と同様に、四角形状の浅型フライパン状の本体１と、本体１の辺縁外周面に把手２、スライドガイド3、及び位置きめピン４を付設したものである。
【００１７】
特に本発明で把手可動調節式（図１，２）は、本体１の側面に角度（辺に対してA°は凡そ30°から70°であり、好ましくは35°から65°、より好ましくは４０°から６０°であり、本体底面に対してＢ°は凡そ0°から30°、好ましくは5°から20°、より好ましくは７．５°から１５°の傾き）を持った把手2、スライドガイド3、及び位置きめピン４を付設することによって、把手2を調理する人の使い易い位置に選択的に固定設定出来、把持側の手首の負担を軽減したものである。
【００１８】
スライドガイド部とは図１の３のアリ溝のように把手付設辺と平行移動のみ可能なスライド機構を利用したものであり、図中の機構のみを特定するものではない。スライドガイドを位置決めピンなどで固定することは調理時の把手脱落を防止するものである。
【００１９】
図３、図４は把手固定式器具である。把手は辺に対する傾きＡ°は凡そ30°から70°であり、好ましくは35°から65°、より好ましくは４０°から６０°であり、本体底面に対して傾きＢ°は凡そ0°から30°、好ましくは5°から20°、より好ましくは７．５°から１５°の傾きもっており、取り付け金具31とはねじ込み方式で着脱可能である。
【００２０】
可動式及び固定式共に把手付設位置は器具本体の辺長さＬの約１/3Ｌの所で、しかも把手長手方向は本体中心に向かっていることが望ましい。これは本体重心と把手付設方向を重ねることにより、把手を把持した時の偏荷重を極力避ける効果がある。
【００２１】
人は自然体で腕が体側にある場合、手を握ると体前面に対して凡そ45°の握り軸を持つために把手は本体器具の辺に対して角度が４０°から60°となるるのがより好ましい。
【実施例】
【００２２】
以下、本発明の実施の形態として一実施例を図１、図３に基ずいて説明する。
【００２３】
図1において、1は玉子焼き本体に付設された角度を持った把手であり、２は玉子焼きフライパン本体で調理を行うスペースである。把手１が付設されたスペース２の四角形状の本体の辺縁外部にはスライドガイド4も併設されている。把手１を調理する人に適した位置にスライド移動を行い、位置決めピン３で位置きめ及び固定を行う。これは本体からの離脱を防ぐものである。
【００２４】
図２は図１の反対勝手のものであり、詳細は前記述通りである。
【００２５】
図３において、1１は玉子焼き本体に付設された角度を持った把手であり、21は玉子焼きフライパン本体で調理を行うスペースである。把手１１が付設された本体21の辺縁外部には、把手着脱可能な取り付け金具31が固定設置されている。
【００２６】
図4は図3の反対勝手のものであり、詳細は前記述通りである。
【産業上の利用可能性】
【００２７】
本発明は、玉子焼き調理に使用する玉子焼き器具に関するものである。
【符号の説明】
【００２８】
１ 把手
２ 本体
3 位置決めピン
４ スライドガイド
A° 辺に対する角度
Ｂ° 底辺に対する角度
Ｌ 把手取り付け側辺縁長さ
【００２９】
11把手
１２本体
１３固定金具
A° 辺に対する角度
Ｂ° 底辺に対する角度
Ｌ 把手取り付け側辺縁長さ
【図１】
0006424302.tif 000002
【図２】
0006424302.tif 000003
【図３】
0006424302.tif 000004
【図４】
0006424302.tif 000005